(57)【要約】【課題】農作業用車両の後方にリンク装置を介して昇降可能に装着されている耕耘ロータリを取り外して自立させる際、該耕耘ロータリの自立姿勢を安定させることができるスタンド装置を提供する。【解決手段】耕耘ロータリ４のフロントカバー２２の側板２１Ｌと、該側板２１Ｌに対向させた状態で耕耘ロータリ４の伝動ケース１２に共締め固定した案内部材３２によって、耕耘ロータリ４を単独で自立させるスタンド２３の基端部Ａを挟持しながら当該スタンド２３を上下回動可能に支持した。【選択図】      図４
2005021019.tif 000002
【特許請求の範囲】
【請求項１】
農作業用車両（１）の後方にリンク装置（２）を介して昇降可能に装着される耕耘ロータリ（４）であって、該耕耘ロータリ（４）を単独で自立させるスタンド（２３）の基端部（Ａ）を、耕耘ロータリ（４）のフロントカバー（２２）と伝動ケース（１２）に支持したことを特徴とする耕耘ロータリのスタンド装置。
【請求項２】
フロントカバー（２２）の側板（２１Ｌ）に円弧状の案内孔（３１）を設け、且つ側板（２１Ｌ）に対向する案内部材（３２）を耕耘ロータリ（４）の伝動ケース（１２）に取付けると共に、案内部材（３２）の縁端（３２ａ）を側板（２１Ｌ）の案内孔（３１）に沿って形成し、スタンド（２３）の基端部を前記側板（２１Ｌ）の案内孔（３１）と案内部材（３２）の縁端（３２ａ）で案内しながら、当該スタンド（２３）を収納位置から作用位置に亘って回動可能に構成したことを特徴とする請求項１記載の耕耘ロータリのスタンド装置。
【発明の詳細な説明】
【０００１】
【発明の属する技術分野】
本発明は、トラクタ等の農作業用車両の後方にリンク装置を介して昇降可能に装着される耕耘ロータリのスタンド装置に関する。
【０００２】
【従来の技術】
従来、トラクタの後部には、三点リンク式の作業機装着装置が配設され、この作業機装着装置の後部に、農用作業機として、耕耘ロータリや防除機、及び施肥機等を昇降自在に装着できるように構成してある。これら農用作業機は、作業機装着装置から取り外した時に安定して自立できるものは少なく自立用のスタンドを設けたものがある。
【０００３】
そして、上述した自立用のスタンドを収納位置から作用位置に亘って回動可能に構成すべく、農用作業機（耕耘ロータリ）の伝動ケースであるチェンケースの前面に「コ」字状に折り曲げ加工したブラケットを固設すると共に、該ブラケットに嵌装するように断面が「コ」字状に折り曲げられた長尺プレートを形成して自立用のスタンドとなし、更に当該スタンドの一端を前記ブラケットに支持させて回動可能に構成すると共に、他端を外方向に折り曲げ加工して接地部を設けたものが知られている（例えば、特許文献１参照。）。
【０００４】
【特許文献１】
特開平８−２９８８０１号公報（第２−３頁、図４−図８）
【０００５】
【発明が解決しようとする課題】
しかしながら、上述した自立用のスタンドは、「コ」字状に折り曲げ加工したブラケットに、同じく断面を「コ」字状に折り曲げてなるスタンドの基端部を嵌装して回動可能に構成したものであって、当該スタンドを収納位置から耕耘ロータリを自立させる作用位置までスタンドを大きく回動させると、前記ブラケットとスタンド基端部の嵌装ガタが大きいことから、耕耘ロータリの自立姿勢を安定させることができなかった。
【０００６】
【課題を解決するための手段】
本発明は、上記課題を解決することを目的として創案したものであって、農作業用車両の後方にリンク装置を介して昇降可能に装着される耕耘ロータリであって、該耕耘ロータリを単独で自立させるスタンドの基端部を、耕耘ロータリのフロントカバーと伝動ケースに支持したことを第１の特徴としている。
【０００７】
そして、フロントカバーの側板に円弧状の案内孔を設け、且つ側板に対向する案内部材を耕耘ロータリの伝動ケースに取付けると共に、案内部材の縁端を側板の案内孔に沿って形成し、スタンドの基端部を前記側板の案内孔と案内部材の縁端で案内しながら、当該スタンドを収納位置から作用位置に亘って回動可能に構成したことを第２の特徴としている。
【０００８】
【発明の実施の形態】
本発明の実施形態を以下添付図面に基づいて詳細に説明する。図１は農作業用車両であるトラクタの後方に耕耘ロータリを単独で自立させた状態を示す側面図であり、図２は耕耘ロータリの平面図である。そして、図３はトラクタの後方に耕耘ロータリを装着して持ち上げた状態を示す側面図である。また、図４及び図５は本発明による耕耘ロータリのスタンド装置の要部を示す側面図及び断面図であり、更に図６はスタンドの構成を示す側面図である。
【０００９】
トラクタ１の機体後方には、３点リンク２及びオートヒッチ３を介して耕耘ロータリ４が昇降自在に装着されている。
前記耕耘ロータリ４の中央部にはギヤケース５が設けてあり、該ギヤケース５の上部に一対のブーメラン形状のトップマスト６，６を固設し、そのトップマスト６，６の前側上部をオートヒッチ３に連結するように構成してある。
【００１０】
そして、前記トップマスト６，６の後側上部には、通常は尾輪や畦立器等を装着するツールバー７の上下姿勢を調節するためのネジ式調節装置８を軸支してある。
前記ネジ式調節装置８は二重筒構造（不図示）になっており、トップマスト６，６側に設けたハンドル９を回転させると内筒のネジ軸が回転し、当該ネジ式調節装置８を伸縮作動させることができるようになっており、それによってツールバー７の上下姿勢の調節は簡単に行なえる。
【００１１】
また、前記ギヤケース５の両側には、左右一対の筒状アーム１０，１１を配設すると共に、その左端側には耕耘ロータリ４の伝動ケースであるチェンケース１２、右端側にはサイドプレート１３を固設してある。
そして、複数本の耕耘爪１４を固設してなる耕耘軸１５は、前記チェンケース１２下部の駆動側軸受部と、サイドプレート１３下部に設けた受動側軸受部に支持され、チェンケース１２内の伝動装置によって駆動する。
【００１２】
また、前記耕耘爪１４の回転軌跡の上方を覆うロータリカバー１６は、側面視で円弧状に形成されると共に、その後寄り左右両側にはサイドカバー１７，１７が設けられている。
そして、前記ロータリカバー１６の後部に支点Ｐを回動中心としてリヤカバー１８を上下回動可能に軸支すると共に、左右一対の吊りロッド１９，１９によってリヤカバー１８を持ち上げ可能に構成し、該リヤカバー１８と前記耕耘爪１４の回転軌跡との空間を所望の隙間に調節できるようにしてある。
更に、前記ロータリカバー１６の前側には、チェンケース１２及びサイドプレート１３に固設された左右の側板２１Ｌ，２１Ｒを有するフロントカバー２２が設けられている。
【００１３】
そして、前記耕耘ロータリ４をオートヒッチ３から取り外して単独で安定した状態で自立させるために、当該耕耘ロータリ４の自立用のスタンド２３をチェンケース１２の前方に設けてある。
即ち、図４及び図５に示すように、前記スタンド２３の基端部Ａは、耕耘ロータリ４のフロントカバー２２とチェンケース１２に支持してある。
【００１４】
以下詳しく説明すると、前記チェンケース１２及びサイドプレート１３の前側に左右の側板２１Ｌ，２１Ｒを固設すると共に、両側板２１Ｌ，２１Ｒの上部を「Ｌ」字状に折り曲げ加工し、更にこの両側板２１Ｌ，２１Ｒの折り曲げ外形形状に沿うように形成した上部天板２２ａをボルト２６・・で取付けることによって、前記フロントカバー２２を一体的に形成している。
【００１５】
そして、前記左側板２１Ｌの側面視略中央にピン２８を外側に向けて突設し、このピン２８にスタンド２３の基端部Ａに設けられた長穴２３ａを嵌装できるように構成すると共に、前記ピン２８を中心方向とする円弧状の案内孔３１を左側板２１Ｌの前側に開けている。
【００１６】
一方、前記左側板２１Ｌに対向した状態でチェンケース１２のフランジ部１２ａにボルト３３・・で共締め固定される案内部材３２を設けると共に、該案内部材３２の縁端３２ａを左側板２１Ｌに開けた円弧状の案内孔３１の小径側３１ａに沿うように形成してあり、これによってスタンド２３の基端部Ａの表裏同位置に突出させた突起２３ｂ，２３ｃを、それぞれ前記左側板の案内孔３１と案内部材３２の縁端３２ａに摺接させた状態で案内しながら、前記ピン２８を中心にスタンド２３を収納位置から作用位置に亘って上下回動（図４に示す矢印方向）できるように構成してある。
【００１７】
そして、前記左側板２１Ｌに開けた円弧状の案内孔３１の両端、及びそれに対応する位置の案内部材３２の縁端３２ａには、スタンド２３の回動中心であるピン２８の方向に切り欠き部Ｋ１，Ｋ２を形成し、この切り欠き部Ｋ１，Ｋ２にスタンド２３の基端部Ａに突出させた突起２３ｂ，２３ｃを嵌入することによって、当該スタンド２３を収納位置と作用位置に切り換えて保持することができるようにしてある。
【００１８】
尚、上述したピン２８と突起２３ｃの間には、引っ張りスプリング３５が取付けてあり、該スプリング３５の付勢力によってスタンド２３の基端部Ａに突出させた突起２３ｂ，２３ｃの切り欠き部Ｋ１，Ｋ２への嵌入を容易にすると共に、当該スタンド２３を収納位置と作用位置に切り換える際の操作ガタを軽減してスムーズな回動操作を行なうことができるようになっている。
【００１９】
また、前記スタンド２３の基端部Ａは、フロントカバー２２の左側板２１Ｌと、該左側板２１Ｌに対向してチェンケース１２のフランジ部に固定した案内部材３２により強固に挟持された状態で装着してあり、それによってスタンド２３を回動させて耕耘ロータリ４を自立させる作用位置で保持した状態においても、当該スタンド２３の基端部Ａの嵌装ガタが少なくなって耕耘ロータリ４の自立姿勢が安定するようになる。
【００２０】
尚、上述したスタンド２３は、図６に示すようにロストワックス工法により形成した複雑な形状の基端部Ａと、該基端部Ａに固着したパイプ２４と、該パイプ２４の先端に固着してなる接地板２５によって安価に構成されている。
そして、トラクタ１の作業機装着装置から耕耘ロータリ４を取り外した時は、左右一対の吊りロッド１９，１９を介して吊り下げられているリヤカバー１８を下降させ、該リヤカバー１８の下端を接地させて耕耘ロータリ４の後部を支持すると共に、前記スタンド２３を接地させて耕耘ロータリ４の前部を支持することによって、当該耕耘ロータリ４を安定した姿勢で自立させることができるように構成してある。
【００２１】
【発明の効果】
以上説明したように本発明は、農作業用車両１の後方にリンク装置２を介して昇降可能に装着される耕耘ロータリ４であって、該耕耘ロータリ４を単独で自立させるスタンド２３の基端部Ａを、耕耘ロータリ４のフロントカバー２２と伝動ケース１２に支持したことによって、当該スタンド２３の基端部Ａは強固に支持されて耕耘ロータリ４の自立姿勢が安定するようになる。
【００２２】
そして、フロントカバー２２の側板２１Ｌに円弧状の案内孔３１を設け、且つ側板２１Ｌに対向する案内部材３２を耕耘ロータリ４の伝動ケース１２に取付けると共に、案内部材３２の縁端３２ａを側板２１Ｌの案内孔３１に沿って形成し、スタンド２３の基端部を前記側板２１Ｌの案内孔３１と案内部材３２の縁端３２ａで案内しながら、当該スタンド２３を収納位置から作用位置に亘って回動可能に構成したので、前記スタンド２３を収納位置と作用位置に切り換える際の操作ガタが軽減してスムーズな回動操作が行なえるようになると共に、スタンド２３を回動させて耕耘ロータリ４を自立させる作用位置で保持した状態においても、スタンド２３の基端部Ａの嵌装ガタが少なくなって耕耘ロータリ４の自立姿勢が安定するようになる。
【図面の簡単な説明】
【図１】トラクタの後方に耕耘ロータリを単独で自立させた状態を示す側面図。
【図２】耕耘ロータリの平面図。
【図３】トラクタの後方に耕耘ロータリを装着して持ち上げた状態を示す側面図。
【図４】耕耘ロータリのスタンド装置の要部を示す側面図。
【図５】同上断面図。
【図６】スタンドの構成を示す側面図。
【符号の説明】
１      農作業用車両（トラクタ）
２      リンク装置
４      耕耘ロータリ
１２    伝動ケース（チェンケース）
２１Ｌ  （フロントカバーの）側板
２２    フロントカバー
２３    スタンド
３１    案内孔
３２    案内部材
３２ａ  （案内部材の）縁端
Ａ      （スタンド）基端部
【図１】
2005021019.tif 000003
【図２】
2005021019.tif 000004
【図３】
2005021019.tif 000005
【図４】
2005021019.tif 000006
【図５】
2005021019.tif 000007
【図６】
2005021019.tif 000008